(57)【要約】【課題】本考案は、甲高の足のユーザや分厚い靴下装着時の使用にも雨天時の使用にも適しており、歩行性及び耐久性にも優れたＥＶＡ等の樹脂製下駄を提供する。【解決手段】  本考案の樹脂製下駄は、天面で足裏を担持し、前方の幅方向略中央に１つの前穴と後方に幅方向に並列する２つの後穴とを有する板状の台と、前記台の底面の前方及び後方からそれぞれ下方に延びて該台を固定担持するそれぞれに幅方向に延びて互いに並列する歯と、一本形状部材の両端を前記台の後穴で固定し、略中央部を略V字状に折り曲げて足甲の上に配設する鼻緒と、該鼻緒の折り曲げられた略中央部を一端側の環状部に通し、他端側を前記台の前穴に挿入固定して、親指と人差し指との間に挟まれる前坪とを備え、前記台及び前記歯は、タイプＡデュロメータで硬さ８５．０以上の樹脂材料で成形される。【選択図】  図１
0003226064.tif 000002
【実用新案登録請求の範囲】
【請求項１】
天面で足裏を担持し、前方の幅方向略中央に１つの前穴と後方に幅方向に並列する２つの後穴とを有する板状の台と、
前記台の底面の前方及び後方からそれぞれ下方に延びて該台を固定担持するそれぞれに幅方向に延びて互いに並列する歯と、
一本形状部材の両端を前記台の後穴で固定し、略中央部を略V字状に折り曲げて足甲の上に配設する鼻緒と、
該鼻緒の折り曲げられた略中央部を一端側の環状部に通し、他端側を前記台の前穴に挿入固定して、親指と人差し指との間に挟まれる前坪とを備え、
前記台及び前記歯は、タイプＡデュロメータで硬さ８５．０以上の樹脂材料で成形される、ことを樹脂製下駄。
【請求項２】
前記台及び前記歯は、着色材料を含んだ樹脂材料で成形される、ことを特徴とする請求項１に記載の樹脂製下駄。
【請求項３】
前記樹脂材料は、ＥＶＡ樹脂（エチレン  ビニルアセタート  コポリマー）である、ことを特徴とする請求項１又は２に記載の樹脂製下駄。
【請求項４】
前記台及び前記歯は、互いに接着固定される、ことを特徴とする請求項３に記載の樹脂製和下駄。
【請求項５】
前記歯の底部には、その底部表面に滑り止め形状を有するウレタンゴム製の板状部材を接着固定する、ことを特徴とする請求項４に記載の樹脂製下駄。
【考案の詳細な説明】
【技術分野】
【０００１】
本発明は、甲高の足のユーザや分厚い靴下装着時の使用にも雨天時の使用にも適しており、歩行性及び耐久性にも優れたＥＶＡ等の樹脂製下駄に関する。
【背景技術】
【０００２】
鼻緒は、台の上で足が入る隙間を開けた状態で、足裏を担持する履物の台の踵部分両側に一対の後穴のそれぞれから親指及び人差し指側の幅方向中央に１つの前穴まで略Ｖ字状に配置して足を固定する履物の部品である。この鼻緒を有する履物は、概ね和式と西洋式のタイプがあり、代表的な西洋式として、ビーチサンダルが存在する。
【０００３】
ビーチサンダルは、ＥＶＡ樹脂（エチレン  ビニルアセテート  コポリマー）製の板状の台の底面が直接地面に接して天面で足裏を担持し、左右両側各１本のゴム等の鼻緒それぞれの後端を後穴に挿入固定し、後穴から延びる鼻緒の前端を一体に束ねて前穴に直接挿入固定している。そして、鼻緒の弾性により幅方向に開くことでユーザの足形状に合わせて足を固定する。
【０００４】
概ねビーチサンダルの場合、足裏を担持する台をＥＶＡ樹脂製にしているため軽量で耐水性に優れている点で有利であり、水場等で汎用されている。しかしながら、ビーチサンダルの場合、西洋式鼻緒を採用しており鼻緒が前穴に直接固定されているため日本人のように甲高の足の場合や寒冷期に足袋を重ね履きして使用する場合、指側の高さがとりにくい又は必要以上に鼻緒が開いてしまうことがあるという問題がある。一方、和式の履物における鼻緒は歴史的に、鼻緒を前穴に直接固定せず、前穴と鼻緒との間に追加の部材としての前坪を介在させ、前坪に鼻緒を連結し、その前坪を前穴に固定することで前坪分の高さを確保する構成を採用している。このため甲高の足や寒冷期に足袋を重ね履きして使用することにも適している。
【０００５】
このような事情からビーチサンダルの代替として考案者は和式の鼻緒を備えたビーチサンダルと同材料のＥＶＡ樹脂製の和草履を提供している（特許文献１  参照）。しかしながら、ＥＶＡ樹脂製の和草履は、水場等の濡れることを前提としている場所での使用を除き、台の厚みが薄く直接地面に接しているため日本のような多湿で雨天時が多い地域での通常使用には向いていないという問題があった。これに対して鼻緒を有する和式の履物には、草履の他に下駄が存在し（特許文献２  参照）、昨今、使用者が減少しているが、考案者は和式履物の製造者としてこの下駄が注目した。下駄は台の底部から下方に幅方向に並列する歯が延びている。この歯によって台は地面から所定高さの位置に持ち上げられており、ぬかるんだ場所においても足を濡らさず歩くことが可能になっている。したがって、ＥＶＡ樹脂製の和草履もその台の下方に歯を設けて下駄形状にすることで上記雨天時での問題を改善することが可能となる。
【０００６】
その一方、ＥＶＡ樹脂製の和式草履又はビーチサンダルをそのまま下駄の形状に変形しても、後述する図８のようにユーザの自重で歯がつぶれてしまったり、歯が台との連接部近傍で前後に折れ曲がったりして、歩くことが難しく、耐久性も低いという問題があった。
【先行技術文献】
【特許文献】
【０００７】
【特許文献１】特開２００２−２０９６０９号公報
【特許文献２】特開２０１８−１６１３７０号公報
【考案の開示】
【考案が解決しようとする課題】
【０００８】
本考案は、以上の事情に鑑みて創作されたものであり、甲高の足のユーザや分厚い靴下装着時の使用にも雨天時の使用にも適しており、歩行性及び耐久性にも優れたＥＶＡ等の樹脂製下駄を提供することを目的とする。
【課題を解決するための手段】
【０００９】
上記目的を達成するために本考案の樹脂製下駄は、
天面で足裏を担持し、前方の幅方向略中央に１つの前穴と後方に幅方向に並列する２つの後穴とを有する板状の台と、
前記台の底面の前方及び後方からそれぞれ下方に延びて該台を固定担持するそれぞれに幅方向に延びて互いに並列する歯と、
一本形状部材の両端を前記台の後穴で固定し、略中央部を略V字状に折り曲げて足甲の上に配設する鼻緒と、
該鼻緒の折り曲げられた略中央部を一端側の環状部に通し、他端側を前記台の前穴に挿入固定して、親指と人差し指との間に挟まれる前坪とを備え、
前記台及び前記歯は、タイプＡデュロメータで硬さ８５．０以上の樹脂材料で成形される。
【００１０】
本考案の樹脂製下駄は、一本の鼻緒の略中央部を前坪に通して折り曲げる和式の鼻緒を備える下駄であって、その台及び歯の材質を共に、樹脂材料の硬度測定として標準化されているタイプＡデュロメータによる硬さ８５．０以上の樹脂材料で成形することとしている。考案者は、樹脂製の下駄の材質をトライアンドエラーで検証した結果、硬さ８５．０以上の樹脂材料であれば、ユーザの自重による変形も少ないことを知得した。
【００１１】
また、一般にはタイプＡデュロメータによる硬さ９０．０は緩衝材やシール材（ガスケット、パッキン）等の耐摩耗性が求められる一般的工業用途に用いるものであり、通常の履物業者であれば足への負担を考慮して想定しない硬さ（以下、「硬度」とも称する）であるが、そもそも下駄は台及び歯を硬い木材を使用しながら歯を支柱として台を揺動させて歩行させることで足画の負担を軽減させるという特殊な構造であるため、硬度９０．０前後の硬さであっても問題なく、実際の検証でも歩行性にも優れ、足の負担（疲労感）も少ないものであった。
【００１２】
したがって、本樹脂製下駄によれば、和式の鼻緒構造により甲高の足のユーザや分厚い靴下装着時の使用に適しており、下駄構造により雨天時の使用にも適しており、さらに、歩行性及び耐久性にも優れた履物を提供することを可能としている。
【００１３】
また、前記台及び前記歯は、着色材料を含んだ樹脂材料で成形される、ことが好ましい。
【００１４】
本樹脂製下駄によれば、素材自体に着色材料を含んだ樹脂材料を台及び歯に用いることで従来の下駄のように木材の表面に別途着色材料を塗布する工程なく多色の樹脂製下駄を容易に準備することができる。また、台及び歯の素材自体が元々着色されているため塗布した着色材料が地面との摩擦等で剥離等するようなこともない点でも有利である。
【００１５】
また、前記樹脂材料は、ＥＶＡ樹脂（エチレン  ビニルアセタート  コポリマー）である、ことが好ましい。
【００１６】
樹脂材料にはビーチサンダルにも汎用されるＥＶＡ樹脂が使用されることが好ましい。ＥＶＡ樹脂は成形、加工が容易であり、耐水性も高く、上述したようにタイプＡデュロメータによる硬さ９０．０が緩衝材等に種々の用途多様される標準化された汎用品であり、安価である点でも有利である。
【００１７】
また、前記台及び前記歯は、代表的には互いに接着固定される。
【００１８】
上述した硬さ８５．０のＥＶＡ樹脂の場合、台と歯とを接着剤に接着固定するだけでユーザの自重でつぶれず、歩行時の揺動で折れ曲がらないだけの十分な耐久性を有している。むしろ、硬さ９０．０のＥＶＡ樹脂は緩衝材等に使用するものであり、丁度その弾性及び復元性が歩行時の揺動を吸収し、通常の下駄よりもユーザの足への負担を軽減し、良好な歩行感を得ることができる。
【００１９】
さらに、前記歯の底部には、その底部表面に滑り止め形状を有するウレタンゴム製の板状部材を接着固定しても良い。
【００２０】
この例によれば、歯の接地面をＥＶＡ樹脂そのままにしておく又はＥＶＡ樹脂の底面に滑り止め形状を形成する場合よりも滑り止め専用のウレタンゴム製の板状部材を装着する方が良好な滑り止め効果を有する。
【考案の効果】
【００２１】
本考案によれば、甲高の足のユーザや分厚い靴下装着時の使用にも雨天時の使用にも適しており、同時に歩行性及び耐久性にも優れた樹脂製下駄を提供することができる。換言すれば、本樹脂製下駄は、ビーチサンダルの代替えとしてビーチサンダルの利点を残しつつ、和式の鼻緒や下駄形状、材質及びその適正な硬度を具体化することでビーチサンダルの問題点が解消された新たな履物を提供していると言える。
【図面の簡単な説明】
【００２２】
【図１】本考案の実施形態１の前方斜め上方から見た斜視写真図が示されている。
【図２】本考案の実施形態１の上方から見た天面写真図が示されている。
【図３】本考案の実施形態１の幅方向（左側方）から見た側面写真図が示されている。
【図４】本考案の実施形態１の下方から見た底面写真図が示されている。
【図５】本考案の実施形態２の前方斜め上方から見た斜視写真図が示されている。
【図６】本考案の実施形態２の上方から見た天面写真図が示されている。
【図７】本考案の実施形態２の下方から見た底面写真図が示されている。
【図８】本考案の実施形態２のタイプＡデュロメータ硬さ７０のＥＶＡ樹脂製のものを実際にユーザが履いて自重を掛けたときの様子を示した写真図である。
【図９】本考案の実施形態２のタイプＡデュロメータ硬さ９０のＥＶＡ樹脂製のものを実際にユーザが履いて自重を掛けたときの様子を示した写真図である。
【考案を実施するための形態】
【００２３】
≪本考案の実施形態の例示≫
本考案の樹脂製下駄の実施形態例について図１〜図９を参照しつつ以下、説明する。
【００２４】
図１〜図４には本考案の樹脂製下駄の実施形態１の写真図、図５〜図６には本考案の樹脂製下駄の実施形態２の写真図が示されている。具体的には、図１には実施形態１の前方斜め上方から見た斜視写真図、図２には実施形態１の上方から見た天面写真図、図３には実施形態１の幅方向（左側方）から見た側面写真図、図４には実施形態１の下方から見た底面写真図が示されている。また、図５には実施形態２の前方斜め上方から見た斜視写真図、図６には実施形態２の上方から見た天面写真図、図７には実施形態２の下方から見た底面写真図が示されている。
【００２５】
さらに、図８〜図９は本樹脂製下駄のうち異なる硬さ（いくつかに標準化された硬さのうちの２つの硬さ）のＥＶＡ樹脂製のものを実際にユーザが履いて自重を掛けたときの様子を示した写真図であり、図８はタイプＡデュロメータで測定した硬さ７０、図９は同様にタイプＡデュロメータで測定した硬さ９０のＥＶＡ樹脂を素材とした場合を示している。
【００２６】
まず、図１〜図７に示す実施形態１の樹脂製下駄１及び実施形態２の樹脂製下駄１１の写真図を参照して、樹脂製下駄１、１１の基本的な構成から説明する。樹脂製下駄１、１１は、足を下方から担持する台２、１２が設けられており、この台２、１２は、薄板状のものであり、実施形態１のようにその天面に直接足裏に当たる場合と実施形態２のようにその天面に台１２と略同形状の薄い天１８が接着等で貼り付けられている。
【００２７】
台２、１２の下方には歯７、１７が配設される。歯７、１７は、幅方向に台２、１２の幅と略同一の長さの幅で台２、１２の底面から下方に延びており、台２、１２を地面から浮かせるように所定高さａを有する。また、歯７、１７は台２、１２の下方で前後に離間して前歯７ａ、１７ａと後歯７ｂ、１７ｂとが並列している。前歯７ａ、１７ａは歩行時に台２、１２を前方で上下揺動する際に支柱となるように台２、１２の前端から奥に所定距離離された位置に配設され、後歯７ｂ、１７ｂは後方に倒れない（揺動しない）ように台２、１２の後端側に配設される。実施形態１、２では、前歯７ａ、１７ａを台２、１２の中央近傍、後歯７ｂ、１７ｂを台２、１２の後端に配設しているが、前歯７ａ、１７ａを支柱として台２、１２が揺動し、後方に倒れることを防止することができれば、前歯７ａ、１７ａをさらに前方、後歯７ｂ、１７ｂを台２、１２の後端より少し前方に配設しても良い。
【００２８】
台２、１２の上方には足の指から踵方向（長手方向）にわたって略Ｖ字状に鼻緒３、１３が延びている。鼻緒３、１３は、布地又は皮地等一本の棒筒状部材であり、半分に折り曲げられ、折り曲げ箇所３ａ、１３ａで前坪４、１４を介して台２、１２に固定されている。前坪４、１４は、一端側に環状部４ａ、１４ａを有し、環状部１４ａ、１４ａに鼻緒３、１３の折り曲げ箇所３ａ、１３ａを通し、他端側を台２、１２の表裏（上下）を貫通して穿けられた前穴５、１５に挿入され（台１２の場合は天１８を通した前穴１５）、台天２ａの底面側（裏面側）に結び目８（実施形態２では結び目が前穴１５内に位置するため図示せず）を設けることで鼻緒３、１３を台２、１２に固定している。この結び目８を調節することで鼻緒３、１３の折り曲げ箇所３ａ、１３ａの高さを調節することもできる。
【００２９】
また、鼻緒３、１３の両端（後端）はそれぞれ、台２、１２（台１２の場合は天１８）の踵側（後方）に上下に貫通して穿けられた２つの後穴６、１６（台１２の場合は天１８を通した後穴１６）に挿入され、前坪４、１４を前穴５、１５で固定するときと同様に、台２、１２の底面側（裏面側）に結び目８（実施形態２では同様に結び目が後穴１６内に位置するため図示せず）を設けることで鼻緒３、１３の両端を台２、１２に固定している。
【００３０】
次に鼻緒３、１３の製造工程及び構造について簡単に言及する（図示せず）。鼻緒３、１３の最初の製造工程は、「裁ち」工程であり、鼻緒３、１３の細さに合わせて鼻緒３、１３に用いる生地を裁断し、生地を裏返しにして直線で縫う。次に、生地の「縫い合わせ」工程が行われる。鼻緒３、１３は２種類の生地を組み合わせて作ることが一般的であり、それぞれの生地を長手方向に重ねてその幅方向両縁を縫い合わせる。このとき後工程となる「返し」工程ができるように両端の縫い合わせを行わない。なお、「縫い合わせ」工程では最終的な鼻緒３、１３の表面になる面の裏面が表になるように縫い合わせている。
【００３１】
「縫い合わせ」工程の次には、「返し」工程が行わ、「縫い合わせ」工程で裏返しに縫い合わされた生地を専用の道具で表に返す。「返し」工程後の生地は、略筒形状（略管形状）になっており、「縫い合わせ」工程での縫い目も内側になっている。「返し」工程が終わると、「芯通し」工程が行われる。「芯通し」工程は、鼻緒３、１３の端部からボール紙、綿、芯縄を紙で包んだ芯を通していく。芯の両端には、後穴６、１６に挿入して台２、１２に固定するための紐状部材９（図４参照）が鼻緒３、１３（鼻緒本体）から延びている。
【００３２】
鼻緒３、１３が完成すると図１〜図７に示すように鼻緒３、１３の中央部で前坪４。１４の一端側が取り付けられ、足指が入るように台２又は天１７の天面と高さ方向に隙間を開け、前坪４、１４が親指と人差し指との間に入るように前坪４、１４の他端を前穴５、１５に挿入して固定する。
【００３３】
前坪４、１４の一端は、略中央部の周囲に巻き付けた状態では鼻緒３、１３の略中央部が通される環状部４ａ、１４ａを形成しており、鼻緒３、１３としっかり固定されるように鼻緒３、１３との境界近傍で巻き付けられた前坪４、１４の端部同志をしっかりと縫い合わせている（縫い目４ｂ、１４ｂ）。鼻緒３、１３と固定された前坪４、１４は、縫い目４ｂ、１４ｂの下部４ｃ、１４ｃに足指の高さ分の距離を設けて天１８の前穴１５に挿入され、下部４ｃ、１４ｃの端部を結ぶ等して台２、１２の裏側（地面側（図４の結び目８参照））で固定される。この前坪４、１４の下部４ｃ、１４ｃの距離を調節することで足指のキツさや緩みが調節される。このようにして鼻緒３、１３は、台２、１２（天１８）に装着される。
【００３４】
次に、樹脂製下駄１、１１における台２、１２及び歯７、１７の材質について説明する。
実施形態１及び２の台２、１２及び歯７、１７は共に、ＥＶＡ樹脂で成形されている。ＥＶＡ樹脂は、エチレン  ビニルアセタート  コポリマーの略称であり、エチレン‐酢酸ビニル共重合体の合成樹脂であり、水を吸わない性質からビーチサンダル等のような水場周りで汎用される素材である。ＥＶＡ樹脂は刃物でカットし易く、シート素材から切り出して使用できるので製造工程も安価・容易である。
【００３５】
本樹脂製下駄１、１１の台２、１２及び歯７、１７を形成するＥＶＡ樹脂は、顔料や染料を練り込んで着色している。図１〜図７ｂの写真図はグレースケールで示しているが、実際には黄色に着色しており、その他、他の着色剤を練り込んだ多種のカラーラインナップを準備している。
【００３６】
台２、１２及び歯７、１７におけるＥＶＡ樹脂の適正な硬度について説明する。
ゴムや樹脂の硬さは、一般にデュロメータにより測定する。デュロメータ硬さは，規定した条件下で試験片に規定の押針を押し込んだときの押針の押込み深さから得られる値である。デュロメータには，タイプＡ，タイプＤ，タイプＥ及びタイプＡＭがあり，通常、タイプＡ及びＤを用いるが、その選択は，タイプ Ｄデュロメータで硬さが２０未満の値を示す場合は，タイプＡを用い、タイプＡデュロメータで硬さが２０未満の値を示す場合は，タイプＥを用いる。また、タイプＡデュロメータで硬さが９０を超える値を示す場合は、タイプＤを用い、薄い試験片（厚さ6.0 mm 未満）の場合は，タイプＡＭを用いる。
【００３７】
一般に履物に使用するＥＶＡ樹脂は、標準化されたタイプＡデュロメータの硬度５０、７０であり、特に硬い靴底等で硬度９０を使用することがある。したがって、足裏を直接担持する部分の場合、硬度５０、７０の使用が当業者に一般的である。これを参考として考案者はまず台２、１２において硬度５０、７０について検証した。その結果、実施形態２の台１２及び歯１７に硬度７０を使用した例が図８の写真図に示されている。図８に示すように硬度７０の場合、非歩行時の台１２はユーザの自重に十分に耐えることができているが、歯１７はユーザの自重で大きく座屈していることがわかる。さらに図示しないが、この状態で歩行すると座屈した状態で歯１７がさらに前に倒れてしまい、特に歯１７と台１２との接合箇所で生じる応力集中に耐えられず、歩行時に歯１７そのものが大きく揺動かつ変形することがわかった。図示しないが、硬度５０の場合はさらに顕著であった。
【００３８】
また、歯１７だけを硬度９０にして台１２を硬度７０とし、歯１７の自重による座屈を小さくする検証も行ったが（図示せず）、このときには台１２の方が軟らかいため歩行時の台１２の前方変形が大きく下駄として良好な台１２の揺動ができなくなった。さらに、歯１７と台１２とを接着接合した場合、異なる素材の接合ゆえに接合箇所で生じる応力集中に耐えられず損傷した例もあり、耐久性の高い製品の提供が困難であった。
【００３９】
次に、実施形態２の台２、１２を共に硬度９０にして検証した結果が、図９の写真図に示されている。この硬度の場合、非歩行時の台１２は変形せず、歯１７も座屈しておらずユーザの自重に十分に耐えられていることがわかる。さらに図示しないが、この状態で歩行して台１２が前歯１７ａ又は後歯１７ｂを支柱として上下に揺動しても前歯１７ａ又は後歯１７ｂが変形したり前後に倒れてしまうことがないことが検証された。したがって、本樹脂製下駄１、１１の台２、１２及び歯７、１７に使用するＥＶＡ樹脂素材のタイプＡデュロメータの硬度は、共に汎用の硬さ５０、７０、９０のうち硬さ９０が望ましいことがわかった。
【００４０】
このように樹脂製下駄１、１１として使用するＥＶＡ樹脂の素材の硬度は、標準化された５０、７０、９０のうちでは９０が好ましいことがわかったが、そもそもタイプＡデュロメータの測定には公差があり、少なくともこれを加味する必要がある。タイプＡデュロメータの加圧板の直径は、１８．０±０．５（ｍｍ）であり、これを面積で換算すると３０６．２５π〜３４２．２５π（ｍｍ2）となる。したがって、直径１８．０（ｍｍ）を１とすると面積の公差は、０．９４５〜１．０５６となり、公差±約５．５％となる。これを硬さ９０に当てはめると硬さ±約５．０が公差となる。したがって、本樹脂製下駄１、１１の台２、１２及び７、１７の硬さは８５．０〜９５．０であり、前述の通り履物分野の当業者は柔らかい方向に材質選択しがちなので、本考案では硬さの下閾値を８５．０として提供することとした。
【００４１】
以上、本考案における樹脂製下駄物についての実施形態およびその概念及び周辺技術について説明してきたが本考案はこれに限定されるものではなく実用新案登録請求の範囲および明細書等に記載の精神や教示を逸脱しない範囲で他の変形例、改良例が得られることが当業者は理解できるであろう。
【符号の説明】
【００４２】
１、１１…樹脂製下駄
２、１２…台
３、１３…ファスナ付き鼻緒
４，１４…前坪
４ａ、１４ａ…環状部
４ｂ、１４ｂ…縫い目
４ｃ、１４ｃ…下部
５、１５…前穴
６、１６…後穴
７、１７…歯
７ａ、１７ａ…前歯
７ｂ、１７ｂ…後歯
１８…天
【図１】
0003226064.tif 000003
【図２】
0003226064.tif 000004
【図３】
0003226064.tif 000005
【図４】
0003226064.tif 000006
【図５】
0003226064.tif 000007
【図６】
0003226064.tif 000008
【図７】
0003226064.tif 000009
【図８】
0003226064.tif 000010
【図９】
0003226064.tif 000011
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
天面で足裏を担持し、前方の幅方向略中央に１つの前穴と後方に幅方向に並列する２つの後穴とを有する板状の台と、
前記台の底面の前方及び後方からそれぞれ下方に延びて該台を固定担持するそれぞれに幅方向に延びて互いに並列する歯と、
一本形状部材の両端を前記台の後穴で固定し、略中央部を略V字状に折り曲げて足甲の上に配設する鼻緒と、
該鼻緒の折り曲げられた略中央部を一端側の環状部に通し、他端側を前記台の前穴に挿入固定して、親指と人差し指との間に挟まれる前坪とを備え、
前記台及び前記歯は、タイプＡデュロメータで硬さ８５．０以上の樹脂材料で成形される、ことを樹脂製下駄。
【請求項２】
前記台及び前記歯は、着色材料を含んだ樹脂材料で成形される、ことを特徴とする請求項１に記載の樹脂製下駄。
【請求項３】
前記樹脂材料は、ＥＶＡ樹脂（エチレン  ビニルアセタート  コポリマー）である、ことを特徴とする請求項１又は２に記載の樹脂製下駄。
【請求項４】
前記台及び前記歯は、互いに接着固定される、ことを特徴とする請求項３に記載の樹脂製和下駄。
【請求項５】
前記歯の底部には、その底部表面にウレタンゴム製の板状部材を接着固定する、ことを特徴とする請求項４に記載の樹脂製下駄。